【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
第１コンテナ（１０１）の第１コンテナコーナーキャスティング（１１０ａ）と第２コンテナ（１０２）の対応する第２コンテナコーナーキャスティング（１２０ａ）とを固定するためのコンテナコーナーロック（２００）であって、
第１コンテナ（１０１）は、第２コンテナ（１０２）上に積み重ねられ、
前記コンテナコーナーロック（２００）は、第１突出部（２１０）、第２突出部（２２０）、電気モータ（２３０）、第１無線送受信機（２４０）、及び処理回路（２６０）を備え、
第１突出部（２１０）は、第１コンテナ（１０１）における第１コンテナコーナーキャスティング（１１０ａ）の第１凹部（１１５ａ）に挿入されるように構成され、且つ第１突出部（２１０）を第１凹部（１１５ａ）内に固定するための第１ロック手段（２１５）を備え、
第２突出部（２２０）は、第２コンテナ（１０２）における第２コンテナコーナーキャスティング（１２０ａ）の第２凹部（１２５ａ）に挿入されるように構成され、且つ第２突出部（２２０）を第２凹部（１２５ａ）内に固定するための第２ロック手段（２２５）を備え、
前記電気モータ（２３０）は、対応する前記凹部（１１５ａ，１２５ａ）内の前記ロック手段（２１５，２２５）のうちの少なくとも１つについて開放位置とロック位置との間の動きを制限又は制限解除するように構成され、
第１無線送受信機（２４０）は、第１距離範囲を有する第１無線信号周波数において外部の送受信機（３５０）と通信するように構成され、
前記処理回路（２６０）は、第１無線送受信機（２４０）から信号を受け取り、前記信号を解釈し、且つ受信した無線信号に従って前記電気モータ（２３０）を動作させるためのコマンドを生成するように構成され、且つ第１送受信機（２４０）の第１距離範囲よりも短い第２距離範囲を有する第２無線信号周波数において外部の短距離端末と通信するように構成された第２短距離無線送受信機又は応答機（２５０）を備えることを特徴とする、
コンテナコーナーロック。
【請求項２】
請求項１に記載のコンテナコーナーロック（２００）であって、
第２距離範囲は、５ｃｍ以上、且つ好ましくは０．５ｍ以下、より好ましくは０．２ｍ以下、さらにより好ましくは１０ｃｍ以下の非常に短い範囲である、
コンテナコーナーロック。
【請求項３】
請求項１に記載のコンテナコーナーロック（２００）であって、
第２短距離無線送受信機又は応答機は、短距離無線通信インターフェースを介して通信を行い、
前記短距離無線通信インターフェースは、標準ＩＥＥＥ８０２．１５．４に準拠した１３．５６ＭＨｚの近距離無線通信、又は無線パーソナルエリアネットワークであり、
前記無線パーソナルエリアネットワークは、Ｗｉ−Ｆｉ、無線ローカルエリアネットワーク、ウルトラモバイルブロードバンド、Ｂｌｕｅｔｏｏｔｈ、無線周波数個体識別、Ｚ−ｗａｖｅ、ＺｉｇＢｅｅ、低消費電力無線パーソナルエリアネットワーク上のＩＰｖ６、無線ＨＡＲＴプロトコル、及び無線ユニバーサルシリアルバスからなる群から選ばれる、
コンテナコーナーロック。
【請求項４】
請求項１から請求項３の何れかに記載のコンテナコーナーロック（２００）であって、
第１突出部（２１０）の第１ロック手段（２１５）は、第１突出部（２１０）を第１凹部（１１５ａ）内に手動ロックするように構成され、
前記電気モータ（２３０）は、第２突出部（２２０）を第２凹部（１２５ａ）内に固定するために第２突出部（２２０）の第２ロック手段（２２５）を再配置するように構成される、
コンテナコーナーロック。
【請求項５】
請求項１から請求項４の何れかに記載のコンテナコーナーロック（２００）であって、
第２ロック手段（２２５）は、ばね式機構を備え、前記コンテナコーナーロック（２００）の第２突出部（２２０）が第２コンテナ（１０２）における第２コンテナコーナーキャスティング（１２０ａ）の第２凹部（１２５ａ）内に挿入された際に、第２突出部（２２０）を第２コンテナコーナーキャスティング（１２０ａ）内に固定する、
コンテナコーナーロック。
【請求項６】
請求項１から請求項５の何れかに記載のコンテナコーナーロック（２００）であって、
メモリ（２７０）をさらに備え、
前記メモリ（２７０）は、前記コンテナコーナーロック（２００）の一意の識別参照情報を格納するように構成され、前記短距離無線送受信機又は前記応答機は、要求に応じて短距離無線端末（３１０）に前記一意の識別参照情報を提供するように構成される、
コンテナコーナーロック。
【請求項７】
請求項１から請求項６の何れかに記載のコンテナコーナーロック（２００）であって、
センサ（２８０）をさらに備え、
前記センサ（２８０）は、前記ロック手段（２１５，２２５）のうちの少なくとも１つについて、対応する前記凹部（１１５ａ，１２５ａ）内において開放位置又はロック位置にあるかどうかを決定するように構成される、
コンテナコーナーロック。
【請求項８】
請求項１から請求項７の何れかに記載のコンテナコーナーロック（２００）であって、
前記処理回路（２６０）は、無線送受信機（２４０）を一定期間停止させるためのスリーピング機能を適用するようにさらに構成される、
コンテナコーナーロック。
【請求項９】
請求項１から請求項８の何れかに記載のコンテナコーナーロック（２００）であって、
電源（２９０）をさらに備え、
前記電源（２９０）は、前記電気モータ（２３０）、前記無線送受信機（２４０）、前記処理回路（２６０）、及び／又は前記メモリ（２７０）、及び前記短距離無線送受信機（２５０）又は応答機及び／又は前記センサ（２８０）に電源を供給するように構成される、
コンテナコーナーロック。
【請求項１０】
第２コンテナ（１０２）上に積み重ねられた第１コンテナ（１０１）を固定するためのシステム（４００）であって、
第１コンテナ（１０１）と関連付けられた、請求項１〜請求項９の何れかに記載のコンテナコーナーロック（２００ａ，２００ｂ，２００ｃ，２００ｄ）のセットと、
１組のコンテナコーナーロック（２００ａ，２００ｂ，２００ｃ，２００ｄ）の各前記第１送受信機（２４０）と無線信号の通信を行うように構成された送受信機（３２０ａ，３２０ｂ，３２０ｃ，３２０ｄ）のうちの少なくとも１つと、
前記送受信機（３２０ａ，３２０ｂ，３２０ｃ，３２０ｄ）を介して前記１組のコンテナコーナーロック（２００ａ，２００ｂ，２００ｃ，２００ｄ）から取得した無線信号を情報へと解釈するように構成された処理ユニット（３３０）と、
前記１組のコンテナコーナーロック（２００ａ，２００ｂ，２００ｃ，２００ｄ）に係る取得情報を格納するように構成されたデータベース（３４０）と、
前記１組のコンテナコーナーロック（２００ａ，２００ｂ，２００ｃ，２００ｄ）に係る情報をオペレータに出力するように構成された出力ユニット（３５０）とを備える、
システム。
【請求項１１】
請求項１０に記載のシステム（４００）であって、
短距離無線端末（３１０）をさらに備え、
前記短距離無線端末（３１０）は、前記１組のコンテナコーナーロック（２００ａ，２００ｂ，２００ｃ，２００ｄ）に含まれる各コンテナコーナーロック（２００ａ，２００ｂ，２００ｃ，２００ｄ）の短距離無線送受信機（２５０）又は応答機と無線で通信するように構成され、前記コンテナコーナーロック（２００ａ，２００ｂ，２００ｃ，２００ｄ）の各前記短距離無線送受信機（２５０）又は応答機からの各前記コンテナコーナーロック（２００ａ，２００ｂ，２００ｃ，２００ｄ）の一意の識別参照情報を取得するように構成され、且つ各前記コンテナコーナーロック（２００ａ，２００ｂ，２００ｃ，２００ｄ）について取得され少なくとも１つのコンテナ（１０１，１０２）と関連付けられた前記一意の識別参照情報を前記データベース（３４０）に提供するように構成される、
システム。
【請求項１２】
第１コンテナ（１０１）を第２コンテナ（１０２）上に積み重ね固定する方法（５００）であって、
請求項１から請求項９の何れかに係るコンテナコーナーロック（２００ａ，２００ｂ，２００ｃ，２００ｄ）の第１突出部（２１０）を第１コンテナ（１０１）の下の各コンテナコーナーキャスティング（１１０ａ，１１０ｂ，１１０ｃ，１１０ｄ）における各凹部（１１５ａ）内に固定するステップ（５０１）と、
第１コンテナ（１０１）の下の前記コンテナコーナーキャスティング（１１０ａ，１１０ｂ，１１０ｃ，１１０ｄ）内に固定（５０１）された各前記コンテナコーナーロック（２００ａ，２００ｂ，２００ｃ，２００ｄ）の一意の識別参照情報を取得するステップ（５０２）と、
前記コンテナコーナーロック（２００ａ，２００ｂ，２００ｃ，２００ｄ）について取得（５０２）された前記一意の識別参照情報を第１コンテナ（１０１）の一意の識別参照情報と関連付けるステップ（５０３）と、
前記コンテナコーナーロック（２００ａ，２００ｂ，２００ｃ，２００ｄ）について取得（５０２）され、且つ第１コンテナ（１０１）の前記一意の識別参照情報と関連付け（５０３）られた前記一意の識別参照情報をデータベース（３４０）に格納するステップ（５０４）と、
第１コンテナ（１０１）を第２コンテナ（１０２）上に積み重ねるステップ（５０５）であって、各前記コンテナコーナーロック（２００ａ，２００ｂ，２００ｃ，２００ｄ）の第２突出部（２２０）は、第２コンテナ（１０２）上の各コンテナコーナーキャスティング（１２０ａ，１２０ｂ，１２０ｃ，１２０ｄ）における各凹部（１２５ａ）に挿入される、ステップと、
各前記コンテナコーナーロック（２００ａ，２００ｂ，２００ｃ，２００ｄ）の電気モータ（２３０）を送受信機（３２０ａ，３２０ｂ，３２０ｃ，３２０ｄ）により送られる無線信号を介して遠隔操作することにより、前記コンテナコーナーロック（２００ａ，２００ｂ，２００ｃ，２００ｄ）を第２コンテナ（１０２）上の前記コンテナコーナーキャスティング（１２０ａ，１２０ｂ，１２０ｃ，１２０ｄ）内にロックするステップ（５０６）とを含む、
方法。
【請求項１３】
請求項１２に記載の方法（５００）であって、
各前記コンテナコーナーロック（２００ａ，２００ｂ，２００ｃ，２００ｄ）の状態を決定するステップ（５０７）、及び
決定（５０７）され、前記コンテナコーナーロック（２００ａ，２００ｂ，２００ｃ，２００ｄ）の前記一意の識別参照情報と関連付けられた前記状態を、無線信号を介して前記プロセッサ（３３０）へ送るステップ（５０８）をさらに含む、
方法。
【請求項１４】
請求項１２又は請求項１３に記載の方法（５００）であって、
各前記コンテナコーナーロック（２００ａ，２００ｂ，２００ｃ，２００ｄ）の前記無線送受信機（２４０）を一定期間停止するためのスリープ機能を適用するステップ（５０９）をさらに含む、
方法（５００）。
【請求項１５】
請求項１２〜請求項１４の何れかに記載の方法（５００）であって、
前記コンテナコーナーロック（２００ａ，２００ｂ，２００ｃ，２００ｄ）の保守が行われた期間に対する時間基準を前記コンテナコーナーロック（２００ａ，２００ｂ，２００ｃ，２００ｄ）のメモリ（２７０）に格納するステップ（５１０）をさらに含む、
方法（５００）。
【請求項１６】
請求項１２〜請求項１５の何れかに記載の方法（５００）であって、
第１コンテナ（１０１）の前記一意の識別参照情報に関連付けられた前記コンテナコーナーロック（２００ａ，２００ｂ，２００ｃ，２００ｄ）の前記一意の識別参照情報に係る情報を出力するステップ（５１１）をさらに含む、
方法（５００）。
【請求項１７】
請求項１３を引用する請求項１６に記載の方法（５００）であって、
出力された前記情報は、各前記コンテナコーナーロック（２００ａ，２００ｂ，２００ｃ，２００ｄ）について決定（５０７）された前記状態をさらに含む、
方法（５００）。